(57)【要約】【課題】花束用グリップとして適切な大きさを確保しつつ花瓶としても利用可能な花束用グリップを提供する。【解決手段】花束用グリップ１には、外方に対して凸となる山部２ａ、及び外方に対して凹となる谷部２ｂが周方向に交互に設けられた筒状の胴部２と、胴部２の一端を覆う底部３とを設ける。底部３には、その底部３の中心Ｃ１から外周へと延びて胴部２の山部２ａに連続し且つ内方に対して凸となる山部３ａ、及び底部３の中心Ｃ１から外周へと延びて胴部２の谷部２ｂに連続し且つ内方に対して凹となる谷部３ｂとを周方向に沿って交互に設ける。胴部２が縮められた状態にあるときに、底部３を中心Ｃ１を頂点とする略錐形となるように底部３を形成する。【選択図】図１
2008000277.tif 000002
【特許請求の範囲】
【請求項１】
外方に対して凸となる山部、及び外方に対して凹となる谷部が周方向に沿って交互に設けられた筒状の胴部と、前記胴部の一端を覆う底部とを有し、
前記底部には、該底部の中心から外周へと延びて前記胴部の前記山部に連続し且つ内方に対して凸となる山部、及び前記中心から外周へと延びて前記胴部の前記谷部に連続し且つ内方に対して凹となる谷部が周方向に沿って交互に設けられ、
前記胴部が縮められた状態にあるときに前記底部が前記中心を頂点として略錐形を成す、ことを特徴とする花束用グリップ。
【請求項２】
前記胴部の前記山部、及び前記谷部が前記胴部の中心線に沿って直線状に設けられていることを特徴とする請求項１に記載の花束用グリップ。
【請求項３】
前記底部の前記山部、及び前記谷部が前記底部の前記中心から放射状に設けられていることを特徴とする請求項１又は２に記載の花束用グリップ。
【請求項４】
樹脂製であることを特徴とする請求項１〜３のいずれか一項に記載の花束用グリップ。
【請求項５】
防水加工されていることを特徴とする請求項１〜３のいずれか一項に記載の花束用グリップ。
【請求項６】
前記底部の前記中心に平坦部が設けられていることを特徴とする請求項１〜５のいずれか一項に記載の花束用グリップ。
【請求項７】
前記胴部の前記山部が、外方に向って丸みを持って形成されていることを特徴とする請求項１〜６のいずれか一項に記載の花束用グリップ。
【請求項８】
前記底部の互いに隣接する前記山部と前記谷部との間の頂角の総和が３６０度よりも大きいことを特徴とする請求項１〜７のいずれか一項に記載の花束用グリップ。
【請求項９】
外方に対して凸となる山部、及び外方に対して凹となる谷部が周方向に沿って交互に設けられた筒状の胴部と、前記胴部の一端を覆う底部とを備え、
前記底部には、該底部の中心から外周へと延びて前記胴部の前記山部に連続し且つ内方に対して凸となる山部、及び前記中心から外周へと延びて前記胴部の谷部に連続し且つ内方に対して凹となる谷部が周方向に沿って交互に設けられ、
前記胴部が縮められた状態にあるときに前記底部が前記中心を頂点として略錐形を成す、ことを特徴とする容器。
【発明の詳細な説明】
【技術分野】
【０００１】
本発明は、花束の茎部を包むための花束用グリップ、及び容器に関する。
【背景技術】
【０００２】
一般に花束を作る場合、鮮度を保つために水を含ませた脱脂綿や水蘚で茎部を巻き、さらにその回りをアルミフォイル等のシート材料でくるんでグリップを形成している。しかし、この種のグリップは花束を持つためのものに過ぎず、花束を机上等に飾るためには別途花瓶が必要である。そこで、花束の茎部を保持する用途のみならず、机上等における装飾の用途も可能とした生花用の保水器として、下端に円形開口部を有し且つ上端に波形開口部を有する筒状部材にて花束の茎部を包み込み、さらにその筒状部材の全体を不透水性のシート材料で包み込み、シート材料の上から筒状部材の波形開口部の外周を縛って花束及びシートを固定するようにした保水器が提案されている（特許文献１参照）。このような保水器によれば、波形開口部の隙間から水を注ぐことにより花束を保水することができる。しかも、筒状部材の下端が円形に広がっているため、花束を花瓶等の容器に移し替えることなく机上等に飾ることができる。また、本発明に関連した他の先行技術として、紙等のシート状の素材を一定の幅で繰り返して平行に折り、その一端から一定の長さを折り目の山と谷とが反転するようにほぼ直角に折り返してなる折り片を、素材の折り目に平行な両端で結合し、蛇腹状側壁と底部とを形成した容器も提案されている（特許文献２参照）。
【特許文献１】特開２００５−１７７０５１号公報
【特許文献２】特開平１１−１９８９２４号公報
【発明の開示】
【発明が解決しようとする課題】
【０００３】
特許文献１の保水器は、内部にある程度の水を入れておくことは可能であるが、机上に載置したときに安定するように下端の円形開口部を大きく成形する必要がある。このため、花束用グリップとして使用するには下端部の径が大きすぎて持ちにくい。特許文献２の容器は花束用グリップとして使用されるものではない。
【０００４】
そこで本発明は、花束用グリップとして適切な大きさを確保しつつ花瓶等の容器としても利用可能な花束用グリップ、及びその構造的特徴を有する容器を提供することを目的とする。
【課題を解決するための手段】
【０００５】
本発明の花束用グリップ（１）は、外方に対して凸となる山部（２ａ）、及び外方に対して凹となる谷部（２ｂ）が周方向に沿って交互に設けられた筒状の胴部（２）と、前記胴部の一端を覆う底部（３）とを備え、前記底部には、該底部の中心（Ｃ１）から外周へと延びて前記胴部の前記山部に連続し且つ内方に対して凸となる山部（３ａ）、及び前記中心（Ｃ１）から外周へと延びて前記胴部の前記谷部に連続し且つ内方に対して凹となる谷部（３ｂ）が周方向に沿って交互に設けられ、前記胴部が縮められた状態にあるときに前記底部が前記中心を頂点として略錐形を成すようにしたことにより、上記課題を解決する。
【０００６】
本発明の花束用グリップによれば、胴部がその周方向に沿って山部と谷部とを交互に配置したプリーツ状の断面形状を有し、且つ底部が胴部の山部に連続する山部と、胴部の谷部に連続する谷部とを中心から外周に向かって設けた形状を有しているので、胴部及び底部を径方向に伸縮させて花束グリップの全体を花束の保持に適した大きさに柔軟に変形させることができる。胴部が縮められた状態で底部が略錐形を成すため、花束グリップを机上等に置いたときには底部の外周を接地させて容器としての安定性を確保することができる。底部を拡大すれば安定性をさらに高めることができる。特に、内部に水、水苔、土等を入れた場合には底部の重量が増して底部が安定した形状に広がる。このため、花束グリップを花瓶、プランターといった草花の装飾用の容器として好適に利用することができる。さらには、草花の装飾用の用途に限定されることなく、容器としての安定性を活かして様々な容器に花束用グリップを転用することができる。さらに、胴部及び底部をコンパクトに折り畳むことにより、携行時、あるいは保管時の便宜を図ることもできる。
【０００７】
本発明の花束用グリップの一形態において、前記胴部の前記山部、及び前記谷部は前記胴部の中心線に沿って直線状に設けられてもよい。また、前記底部の前記山部、及び前記谷部は前記中心から放射状に設けられてもよい。これらの形態によれば、胴部又は底部の山部及び谷部が直線状であるため、山部又は谷部に捩れといった非直線的な形状を与えた場合と比較して容易に製造できる利点がある。
【０００８】
本発明の花束用グリップの一形態において、花束用グリップ（１）は樹脂製であってもよい。樹脂を素材とすれば防水性を容易に確保することができる。インジェクション成形、ブロー成形といった樹脂成形法を利用して胴部及び底部のそれぞれの山部及び谷部を同時的に且つ一体的に形成することができるので、製造が容易である。但し、本発明の花束グリップは樹脂製に限定されず、例えば防水加工されたものでもよい。
【０００９】
本発明の花束用グリップにおいては、前記底部の前記中心に平坦部（７）が設けられてもよい。例えば、花束用グリップをプランターに転用する場合のように底部に抜き孔が必要なときに、中心の平坦部をくり抜いて容易に対応することができる。
【００１０】
本発明の花束用グリップの一形態においては、前記胴部の前記山部を、外方に向って丸みを持って形成してもよい。この形態によれば、胴部の手に当る部分が丸みを持っているため、握ったときの感触がよい。
【００１１】
本発明の花束用グリップの一形態においては、前記底部の互いに隣接する前記山部と前記谷部との間の頂角の総和は３６０度よりも大きくてもよい。この形態によれば、底部を最大限に拡大しても底部に凹凸が残る。それらの凹凸がリブとして機能することにより、底部の剛性が高まる。
【００１２】
本発明の容器（１）は、外方に対して凸となる山部（２ａ）、及び外方に対して凹となる谷部（２ｂ）が周方向に沿って交互に設けられた筒状の胴部（２）と、前記胴部の一端を覆う底部（３）とを備え、前記底部には、該底部の中心（Ｃ１）から外周へと延びて前記胴部の前記山部に連続し且つ内方に対して凸となる山部（３ａ）、及び前記中心（Ｃ１）から外周へと延びて前記胴部の前記谷部に連続し且つ内方に対して凹となる谷部（３ｂ）が周方向に沿って交互に設けられ、前記胴部が縮められた状態にあるときに前記底部が前記中心を頂点として略錐形を成すようにしたことにより、上記課題を解決する。
【００１３】
本発明の容器によれば、その胴部及び底部が上述した花束用グリップと同様の形状を有しているため、胴部及び底部を径方向に伸縮させて容器の内径を柔軟に変化させることができる。このため、収容物の大きさに合わせて容器を変形させることができる。さらに、胴部が縮められた状態で底部が略錐形を成すため、底部の外周を接地させて容器としての安定性を確保し、底部を拡大して安定性をさらに高めることもできる。コンパクトに折り畳んで携行時、あるいは保管時の便宜を図ることもできる。
【００１４】
なお、本発明の容器は、上述した本発明の花束用グリップの各種の形態と同様の形態にて実施することができる。すなわち、本発明の容器において、前記胴部の前記山部、及び前記谷部は前記胴部の中心線に沿って直線状に設けられてもよい。あるいは、前記底部の前記山部、及び前記谷部は前記中心から放射状に設けられてもよい。本発明の容器は樹脂製であってもよいし、防水加工されたものでもよい。本発明の容器において、前記底部の前記中心に平坦部（７）が設けられてもよい。本発明の容器において、前記胴部の前記山部を、外方に向って丸みを持って形成してもよい。本発明の容器において、前記底部の互いに隣接する前記山部と前記谷部との間の頂角の総和は３６０度よりも大きくてもよい。
【発明の効果】
【００１５】
以上説明したように本発明の花束用グリップによれば、胴部及び底部を伸縮させることにより、花束グリップの全体を花束の保持に適した大きさに柔軟に変形させることができる。さらに、胴部が縮められた状態で底部が略錐形を成すため、花束グリップを机上等に置いたときには底部の外周を接地させて容器としての安定性を確保し、底部を拡大すれば安定性をさらに高めることもできる。特に、内部に水、水苔、土等を入れた場合には底部の重量が増して底部が安定した形状に広がるため、花束グリップを花瓶、プランターといった草花の装飾用の容器として好適に利用することができる利点がある。さらには、本発明の花束用グリップ、及び容器によれば、草花の装飾用の用途に限定されることなく、容器としての安定性を活かして様々な容器にこれを利用することができる。コンパクトに折り畳んで携行時、あるいは保管時の便宜を図ることができる利点もある。
【発明を実施するための最良の形態】
【００１６】
本発明の一形態の花束用グリップについて説明する。図１は、花束用グリップ１を示した図であり、図２はその断面図である。図示したように本形態の花束用グリップ１は、筒状の胴部２と、その胴部２の下端を覆う底部３とを備える。
【００１７】
胴部２には、外方に対して凸となり且つ胴部２（あるいは花束用グリップ１それ自身）の中心線Ｃに沿って周方向に直線状に延びる複数の山部２ａと、外方に対して凹となり且つ花束用グリップ１の中心線Ｃに沿って周方向に直線状に延びる谷部２ｂとが設けられている。これらの山部２ａ、及び谷部２ｂは等間隔で設けられ、それにより胴部２の断面形状は多数の襞を有する、いわゆるプリーツ形状を成している。
【００１８】
図２で示したように底部３にも、内方に対して凸となり且つ該底部３の中心Ｃ１から外周へと放射状に延びる複数の山部３ａと、内方に対して凹となり且つ中心Ｃ１から外周へと延びる谷部３ｂとが交互に設けられている。底部３の山部３ａは胴部２の山部２ａに連続し、底部３の谷部３ｂは胴部２の谷部２ｂに連続している。胴部２が縮められた状態にあるとき、底部３の中心Ｃ１は持ち上がって底部３全体として中心Ｃ１を頂点とした略錐形を成している。底部３の互いに隣接する山部３ａと谷部３ｂとの間の頂角αの総和は３６０度に設定されている。従って、底部３を最大限に開くとその底部３は平面状に展開される。
【００１９】
花束用グリップ１の材質は適宜に選択してよいが、好適には軟質樹脂系材料を用いることができる。本形態では、軟質樹脂系材料の一例として、ラバロン等のエラストマーを用いている。但し、花束用グリップ１の材質はこれに限定されず、他の樹脂で製造することもできる。また、防水加工された和紙等を用いて花束用グリップ１が形成されてもよい。花束は最終的には捨てられるものであるため、花束用グリップ１の材質も、環境に配慮して生分解性樹脂を使用することもできる。花束用グリップ１の製造方法は、これに限定されるものではないが、樹脂材料を素材とするブロー成形、あるいはインジェクション成形といった各種の成形法を使用することができる。インジェクション成形を用いた場合には、部分的に肉厚を変えることも可能である。例えば、伸縮の際に角度の変わる部分の肉厚を他の部分よりも薄く設定し、あるいは、底部の頂部の肉厚をその周囲よりも薄く設定することもできる。さらに、花束用グリップ１には種々の色彩を付与することができる。胴部２にはグラフィックでカラフルなデザインを施すこともでき、花束の購入者の好みや花の色に応じて適宜選択できるように、様々なデザインの花束用グリップを用意してもよい。
【００２０】
図１で示した花束用グリップ１の胴部２の山部２ａの角度β、及び谷部２ｂの角度γは共に可変である。図２で示した状態から山部２ａの角度β、及び谷部２ｂの角度γを広げることによって図３で示したように花束用グリップ１を径方向に広げることができる。図４は図２で示した収縮した状態を実線で示し、図３で示した状態を経てさらに広がった状態を二点破線で示した部分横断面図であり、図５はその部分縦断面図である。胴部２は、収縮した状態において図４において実線で示したように山部２ａの角度β、及び谷部２ｂの角度γが鋭角である。そしてこれらの角度β、及び角度γが広がるにつれて胴部２の径が広がる。なお、ここで径とは図４に示した中心線Ｃ１から谷部２ｂまでの距離ｒをいう。また、底部３は、胴部２が収縮した状態では、図５において実線で示したように中心Ｃ１が持ち上がって点Ｏの位置にある多角錐形であるが、山部２ａの角度β、及び谷部２ｂの角度γが広がるにしたがって中心Ｃ１が点Ｏ’の位置へと下がり、二点破線で示したように扁平な形状になる。
【００２１】
次に、花束用グリップ１の使用方法について説明する。まず、図１の状態から若干胴部２の径を開いて内部に花束を挿入する。この際、本形態では、花束の鮮度を保つために茎の部分に水を含ませた水蘚や脱脂綿等を巻いておくことができる。次に、図６に示したように、花束の太さに合わせて胴部２の上部をリボン等の装飾用結束材６で絞り込んで花束を装飾する。本形態の花束用グリップ１によると、水を含んだ水蘚等が内部に含まれているため花束の鮮度を維持することができる。構造が有底のカップ状なので底部３から水が漏れることがなく、また樹脂製であるため胴部２から水が滲み出すこともない。よって、握り手を濡らすことなく持ち歩くことができる。さらに外周のプリーツ形状により外観も美的である。
【００２２】
本形態の花束用グリップ１は花瓶１ａとしても使用可能である。図７は花束用グリップ１を花瓶１ａとして使用した状態を示した図であり、図８は花瓶１ａとして使用した場合の断面図である。花瓶１ａとして使用するには、図８で示したように花束用グリップ１の内部に水５を入れて底部３に溜める。この場合、水５の重みを利用して底部３及び胴部２の下部を拡大させた形状に保持し、それにより花瓶１ａとしての安定性を高めることができる。なお、底部３を水等の重みで拡大させるためには、花束用グリップ１の素材を比較的軟質の材料で形成することが望ましい。剛性、あるいは強度の確保の理由からそのような材料の選択が困難な場合にはユーザーが自ら底部３を押し広げるようにしてもよい。
【００２３】
このように、本形態の花束用グリップ１によれば、花瓶１ａを別途用意することなく花束４を机上等に据え置いて装飾の用途に供することができる。さらに、花束用グリップ１が広がった場合であっても、図８で示したように中心Ｃ１が若干持ち上がるようにしておけば、底部３の外周が確実に接地し、より安定性が増す。図７で示したように、花束４として利用したリボン等の装飾用結束材６を花瓶１ａの装飾にそのまま利用すれば、胴部２の上部の拡大を防止し、花瓶１ａを下部が拡大した略円錐台形状に保持することができて安定性がさらに高まる。
【００２４】
本形態の花束用グリップ１は、上述した花瓶１ａとしての用途以外にも様々な容器として利用することができる。例えば、図９で示したようにプランター１ｂとして使用することもできる。この場合、プランター１ｂは、草花１４の根の部分の太さに合わせて適宜胴部２の太さを調節することができる。プランター１ｂとしての用途を想定する場合には、図１０に示したように、底部３の中心Ｃ１に水抜き孔７を設けることができる。この場合、図示のように底部の中心Ｃ１が若干持ち上がった状態で使用すれば、プランター１ｂの安定性を向上させることができる。また、底部３の外周部に水を蓄えておくことができるので、プランター１ｂの内部に適度な保水性を与えつつ、余分な水を排出させることができる。すなわち、水持ちがよく且つ根腐れ等が生じにくいプランター１ｂを提供することができる。容器１の底部３の中心Ｃ１に平坦部８を設けることにより、水抜き孔７の形成が容易に行える。インジェクション成形のような肉厚変更が可能な製造方法で花束用グリップ１を製造する場合には、平坦部８の肉厚を周囲よりも薄く形成すれば、水抜き孔７をさらに容易に形成することができる。
【００２５】
本形態の花束用グリップ１は、図１１で示したように飲料等のボトル４ｃの包装容器１ｃとして使用することもできる。このようにボトル４ｃを収納した場合も、図１１で示したようにボトル４ｃを入れて胴部２を絞ることにより、その胴部２の径をボトル４ｃの太さに応じて適宜に調節することができる。図１２に示したように、胴部２及び底部３を広げて内部に水、及び氷を入れることにより、ボトルクーラ１ｄとして使用することもできる。さらに、ボトルクーラ１ｄとして使用する場合、図１３で示したように胴部２の上部を絞って使用することもできる。
【００２６】
本発明は、上述した形態に限定されることなく、種々の形態にて実施してよい。例えば、図１４は花束用グリップ１の変形例を示したものである。図１４の例では、胴部２の各山部２ａにその全長に亘って丸みが付けられている。図１５は胴部２の山部２ａの中央部２ｃを幾らか平坦に形成したものである。これらの変形例によると、山部２ａから鋭利な角部が排除されるので、胴部２を握ったときの感触がよい利点がある。
【００２７】
上述の形態では、胴部２の山部２ａ及び谷部２ｂを花束用グリップ１の中心線に沿って直線状に設け、また、底部３の山部３ａ及び谷部３ｂを底部３の中心から放射状に直線的に設けたが、本発明はこれに限定されず、山部２ａ、３ａ又は谷部２ｂ、３ｂに捩れを与え、あるいはこれらを曲線状に形成する、といった変形が可能である。
【００２８】
図２及び図３で示した、底部３の互いに隣接する山部３ａと谷部３ｂとの間の頂角αの総和を３６０度よりも大きく設定することもできる。この場合、底部３を最大限に広げても山部３ａと谷部３ｂとによる凹凸が残るため、それらがリブとして機能して底部３の剛性が高まる利点がある。
【００２９】
以上では、本発明を花束用グリップとして構成し、これを花瓶等の他用途に転用する例を説明したが、本発明はこれに限定されない。本発明の容器は、その設計の当初から、プランター、ボトルの包装容器、ボトルクーラとして用いるための容器として構成されてもよい。この場合も胴部及び底部が伸縮可能であるため、容器を収容物に応じて柔軟に変形させることができる。コンパクトに折り畳んで携行時あるいは保管時の便宜を図ることもできる。
【図面の簡単な説明】
【００３０】
【図１】本発明の一形態にかかる花束用グリップを示した図。
【図２】花束用グリップの収縮した状態を示した断面図。
【図３】花束用グリップの広がった状態を示した断面図。
【図４】花束用グリップの収縮した状態と広がった状態とを示した部分横断面図。
【図５】花束用グリップの収縮した状態と広がった状態とを示した部分縦断面図。
【図６】花束用グリップを花束に装着した状態を示した図。
【図７】花束用グリップを花瓶として使用した状態を示した図。
【図８】花束用グリップを花瓶として使用した場合の断面図。
【図９】花束用グリップをプランターとして使用した状態を示した図。
【図１０】水抜き孔が設けられた底部を示した図。
【図１１】花束用グリップをボトルの包装容器として使用した状態を示した図。
【図１２】花束用グリップをボトルクーラとして使用した状態を示した図。
【図１３】花束用グリップをボトルクーラとして使用した状態の変形例を示した図。
【図１４】花束用グリップの胴部の山部に丸み付けた変形例を示した図。
【図１５】花束用グリップの胴部の山部の中心を平らに形成した変形例を示した図。
【符号の説明】
【００３１】
１  花束用グリップ
２  胴部
２ａ  胴部の山部
２ｂ  胴部の谷部
３  底部
３ａ  底部の山部
３ｂ  底部の谷部
８  平坦部
Ｃ  中心線
Ｃ１  底部の中心
【図１】
2008000277.tif 000003
【図２】
2008000277.tif 000004
【図３】
2008000277.tif 000005
【図４】
2008000277.tif 000006
【図５】
2008000277.tif 000007
【図６】
2008000277.tif 000008
【図７】
2008000277.tif 000009
【図８】
2008000277.tif 000010
【図９】
2008000277.tif 000011
【図１０】
2008000277.tif 000012
【図１１】
2008000277.tif 000013
【図１２】
2008000277.tif 000014
【図１３】
2008000277.tif 000015
【図１４】
2008000277.tif 000016
【図１５】
2008000277.tif 000017